(57)【要約】【課題】書き換え可能な複数の記録層を有する情報記録媒体に、短時間で再生専用の情報記録媒体との互換性を付与する。【解決手段】中間領域と書き換え可能なデータ領域とがそれぞれ設けられている複数の記録層を有する光ディスクを一時的にクローズする際に、光ディスクの各データ領域における既記録部及び未記録部の少なくとも一方に関する情報に基づいて、各データ領域内の同一半径位置の領域に一時的な中間領域を示す情報をそれぞれ記録する（ステップ７０５〜７１９）。これにより、各データ領域に存在する全ての未記録部にダミーデータを書き込むという処理を行うことなく、再生専用ディスクとの互換性を付与することができる。【選択図】図９
2006313600.tif 000002
【特許請求の範囲】
【請求項１】
中間領域と書き換え可能なデータ領域とがそれぞれ設けられている複数の記録層を有するディスク状の情報記録媒体に情報を記録する記録方法であって、
前記情報記録媒体に対するユーザデータの記録を一時的に完了する際に、
前記情報記録媒体の各データ領域における既記録部及び未記録部の少なくとも一方に関する情報に基づいて、前記各データ領域内の同一半径位置の領域に一時的な中間領域を示す情報をそれぞれ記録する工程を含む記録方法。
【請求項２】
前記一時的な中間領域を示す情報をそれぞれ記録する工程では、前記情報記録媒体における最も外周側に位置する既記録部の外周側に隣接する領域と同一半径位置の領域に前記一時的な中間領域を示す情報をそれぞれ記録することを特徴とする請求項１に記載の記録方法。
【請求項３】
前記一時的な中間領域を示す情報をそれぞれ記録する工程に先立って、前記情報記録媒体における最も外周側に位置する既記録部の半径位置よりも内周側の各データ領域に未記録部が存在するか否かを判断する工程と；
前記判断の結果、未記録部が存在する場合に、該未記録部にダミーデータを記録する工程と；を更に含むことを特徴とする請求項２に記載の記録方法。
【請求項４】
前記一時的な中間領域を示す情報をそれぞれ記録する工程に先立って、前記情報記録媒体における最も外周側に位置する既記録部の半径位置が、予め設定されている半径位置よりも内周側にあるか否かを判断する工程と；
前記判断の結果、前記最も外周側に位置する既記録部の半径位置が予め設定されている半径位置よりも内周側にある場合に、各データ領域において、最も内周側の半径位置から前記予め設定されている半径位置までに存在する未記録部にダミーデータを記録する工程；を更に含むことを特徴とする請求項２に記載の記録方法。
【請求項５】
前記一時的な中間領域を示す情報をそれぞれ記録する工程に先立って、前記情報記録媒体における最も外周側に位置する既記録部に隣接する外周側の未記録部の大きさが、前記一時的な中間領域を示す情報の大きさ以上であるか否かを判断する工程を更に含み、
前記最も外周側に位置する既記録部に隣接する外周側の未記録部の大きさ大きさが、前記一時的な中間領域を示す情報の大きさ以上の場合に、前記一時的な中間領域を示す情報をそれぞれ記録する工程を実行することを特徴とする請求項２に記載の記録方法。
【請求項６】
前記情報記録媒体に、一時的な終端情報を記録する工程を、更に含むことを特徴とする請求項１〜５のいずれか一項に記載の記録方法。
【請求項７】
前記情報記録媒体に、前記一時的な中間領域を示す情報が記録された位置情報を記録する工程を、更に含むことを特徴とする請求項１〜６のいずれか一項に記載の記録方法。
【請求項８】
中間領域と書き換え可能なデータ領域とがそれぞれ設けられている複数の記録層を有するディスク状の情報記録媒体に対する情報の記録が可能な情報記録装置に用いられるプログラムであって、
前記情報記録媒体の各データ領域における既記録部及び未記録部の少なくとも一方に関する情報に基づいて、前記各データ領域内の同一半径位置の領域に一時的な中間領域を示す情報をそれぞれ記録する手順を、前記情報記録装置の制御用コンピュータに実行させるプログラム。
【請求項９】
請求項８に記載のプログラムが記録されたコンピュータ読み取り可能な記録媒体。
【請求項１０】
中間領域と書き換え可能なデータ領域とがそれぞれ設けられている複数の記録層を有するディスク状の情報記録媒体に対する情報の記録が可能な情報記録装置であって、
前記情報記録媒体への情報の書き込みを行う処理装置と；
前記情報記録媒体に対するユーザデータの記録を一時的に完了する際に、前記情報記録媒体の各データ領域における既記録部及び未記録部の少なくとも一方に関する情報に基づいて、前記各データ領域内の同一半径位置の領域に一時的な中間領域を示す情報を、前記処理装置を介してそれぞれ記録する制御装置と；を備える情報記録装置。
【請求項１１】
前記制御装置は、前記情報記録媒体における最も外周側に位置する既記録部の外周側に隣接する領域と同一半径位置の領域に前記一時的な中間領域を示す情報を、前記処理装置を介してそれぞれ記録することを特徴とする請求項１０に記載の情報記録装置。
【請求項１２】
前記制御装置は、更に、前記一時的な中間領域を示す情報を記録するのに先立って、前記情報記録媒体における最も外周側に位置する既記録部の半径位置よりも内周側の各データ領域に未記録部が存在する場合に、該未記録部に前記処理装置を介してダミーデータを記録することを特徴とする請求項１１に記載の情報記録装置。
【請求項１３】
前記制御装置は、更に、前記一時的な中間領域を示す情報を記録するのに先立って、前記情報記録媒体における最も外周側に位置する既記録部の半径位置が、予め設定されている半径位置よりも内周側にある場合に、各データ領域において、最も内周側の半径位置から前記予め設定されている半径位置までに存在する未記録部に、前記処理装置を介してダミーデータを記録することを特徴とする請求項１１に記載の情報記録装置。
【請求項１４】
前記制御装置は、前記情報記録媒体における最も外周側に位置する既記録部に隣接する外周側の未記録部の大きさが、前記一時的な中間領域を示す情報の大きさ以上の場合に、前記一時的な中間領域を示す情報をそれぞれ記録することを特徴とする請求項１１に記載の情報記録装置。
【請求項１５】
前記制御装置は、更に、一時的な終端情報を、前記処理装置を介して前記情報記録媒体に記録することを特徴とする請求項１０〜１４のいずれか一項に記載の情報記録装置。
【請求項１６】
前記制御装置は、更に、前記一時的な中間領域を示す情報が記録された位置情報を、前記処理装置を介して前記情報記録媒体に記録することを特徴とする請求項１０〜１５のいずれか一項に記載の情報記録装置。
【請求項１７】
前記制御装置は、更に、前記一時的な中間領域を示す情報がすでに記録されている情報記録媒体にユーザデータを記録する際に、該ユーザデータを前記一時的な中間領域を示す情報が記録されている領域に上書きすることを特徴とする請求項１０〜１６のいずれか一項に記載の情報記録装置。
【発明の詳細な説明】
【技術分野】
【０００１】
本発明は、記録方法、プログラム及び記録媒体、並びに情報記録装置に係り、更に詳しくは、書き換え可能な複数の記録層を有する情報記録媒体に情報を記録する方法、書き換え可能な複数の記録層を有する情報記録媒体に対して情報の記録が可能な情報記録装置、該情報記録装置に用いられるプログラム及び該プログラムが記録された記録媒体に関する。
【背景技術】
【０００２】
近年、デジタル技術の進歩及びデータ圧縮技術の向上に伴い、コンピュータプログラム、音楽情報、及び映像情報（以下「コンテンツ」ともいう）などを記録するための情報記録媒体として、ＣＤ（compact disc）やＤＶＤ（digital versatile disc）などの光ディスクが注目されるようになり、その低価格化とともに、光ディスクに情報を記録するための光ディスク装置が普及するようになった。
【０００３】
特に、書き換えが可能な光ディスクとしては、ＣＤ−ＲＷ（ＣＤ-rewritable）、ＤＶＤ−ＲＡＭ、ＤＶＤ−ＲＷ（ＤＶＤ−rewritable）、及びＤＶＤ＋ＲＷ（ＤＶＤ＋rewritable）などが市販されている。
【０００４】
ところで、コンテンツが予め記録されて販売されるＣＤ−ＲＯＭやＤＶＤ−ＲＯＭなどの再生専用の光ディスク（以下「再生専用ディスク」と略述する）を再生するためのドライブ装置又はプレイヤー（以下、便宜上「再生専用ドライブ装置」ともいう）は、すでに広く普及している。そこで、書き換えが可能な光ディスクであっても、再生専用ドライブ装置で再生できることが好ましい。このためには、コンテンツが記録された書き換えが可能な光ディスクは再生専用ディスク（例えばＤＶＤ＋ＲＷの場合はＤＶＤ−ＲＯＭ）との論理的な互換性を保つことが必要となる。
【０００５】
再生専用ディスクの特徴の一つとして、リードイン（Lead-in）領域とデータ領域とリードアウト（Lead-out）領域とから形成されるインフォメーション領域内に未記録領域が存在しないことが挙げられるが、この点に関して、例えばＤＶＤ＋ＲＷでは、フォーマット途中の状態でディスクを取り出す場合であっても、ＤＶＤ−ＲＯＭとの論理的な互換性が保たれるような工夫がなされている。具体的には、データ領域内に間欠的に存在する未記録領域にダミーデータを記録後、ＬＷＡ（Last Written Address）に続いて一時的なリードアウト（Temporary Lead Out）を記録することで、インフォメーション領域が形成され、ＤＶＤ−ＲＯＭとの論理的な互換性を保ち、ＤＶＤ−ＲＯＭドライブ装置での再生が可能となる。
【０００６】
コンテンツの情報量は、年々増加する傾向にあり、１枚の光ディスクにおける記録容量の更なる増加が期待されている。そして、光ディスクの記録容量を増加させる１つの手段として記録層の多層化に関する開発が盛んに行われている。
【０００７】
複数の記録層を有する書き換え可能な光ディスクでは、各記録層に中間領域（ミドルエリア）が存在するものがある（例えば、特許文献１参照）。この場合には、再生専用ディスクとの互換性を確保するには、リードイン領域、データ領域、リードアウト領域、及び中間領域のすべてが既記録状態であることが必要である。従って、未記録領域が存在しているときに再生専用ディスクとの互換性を確保するには、すべての未記録領域にダミーデータを記録しなければならない。そこで、未記録領域が多い場合には、ダミーデータの記録に多大の時間を要し、パフォーマンスが低下することが予想される。
【０００８】
【特許文献１】特開２００５−２５８２１号公報
【発明の開示】
【発明が解決しようとする課題】
【０００９】
本発明は、かかる事情の下になされたもので、その第１の目的は、書き換え可能な複数の記録層を有する情報記録媒体に、短時間で再生専用の情報記録媒体との互換性を付与することができる記録方法を提供することにある。
【００１０】
また、本発明の第２の目的は、書き換え可能な複数の記録層を有する情報記録媒体に、短時間で再生専用の情報記録媒体との互換性を付与することができる情報記録装置を提供することにある。
【００１１】
また、本発明の第３の目的は、情報記録装置の制御用コンピュータにて実行され、書き換え可能な複数の記録層を有する情報記録媒体に、短時間で再生専用の情報記録媒体との互換性を付与することができるプログラム及びそのプログラムが記録された記録媒体を提供することにある。
【課題を解決するための手段】
【００１２】
請求項１に記載の発明は、中間領域と書き換え可能なデータ領域とがそれぞれ設けられている複数の記録層を有するディスク状の情報記録媒体に情報を記録する記録方法であって、前記情報記録媒体に対するユーザデータの記録を一時的に完了する際に、前記情報記録媒体の各データ領域における既記録部及び未記録部の少なくとも一方に関する情報に基づいて、前記各データ領域内の同一半径位置の領域に一時的な中間領域を示す情報をそれぞれ記録する工程を含む記録方法である。
【００１３】
これによれば、情報記録媒体に対するユーザデータの記録を一時的に完了する際に、情報記録媒体の各データ領域における既記録部及び未記録部の少なくとも一方に関する情報に基づいて、各データ領域内の同一半径位置の領域に一時的な中間領域を示す情報がそれぞれ記録される。この場合には、各データ領域に存在する全ての未記録部にダミーデータを書き込むという処理を行うことなく、再生専用の情報記録媒体との互換性を付与することができる。従って、書き換え可能な複数の記録層を有する情報記録媒体に、短時間で再生専用の情報記録媒体との互換性を付与することが可能となる。
【００１４】
この場合において、請求項２に記載の記録方法の如く、前記一時的な中間領域を示す情報をそれぞれ記録する工程では、前記情報記録媒体における最も外周側に位置する既記録部の外周側に隣接する領域と同一半径位置の領域に前記一時的な中間領域を示す情報をそれぞれ記録することとすることができる。
【００１５】
この場合において、請求項３に記載の記録方法の如く、前記一時的な中間領域を示す情報をそれぞれ記録する工程に先立って、前記情報記録媒体における最も外周側に位置する既記録部の半径位置よりも内周側の各データ領域に未記録部が存在するか否かを判断する工程と；前記判断の結果、未記録部が存在する場合に、該未記録部にダミーデータを記録する工程と；を更に含むこととすることができる。
【００１６】
上記請求項２に記載の記録方法において、請求項４に記載の記録方法の如く、前記一時的な中間領域を示す情報をそれぞれ記録する工程に先立って、前記情報記録媒体における最も外周側に位置する既記録部の半径位置が、予め設定されている半径位置よりも内周側にあるか否かを判断する工程と；前記判断の結果、前記最も外周側に位置する既記録部の半径位置が予め設定されている半径位置よりも内周側にある場合に、各データ領域において、最も内周側の半径位置から前記予め設定されている半径位置までに存在する未記録部にダミーデータを記録する工程；を更に含むこととすることができる。
【００１７】
上記請求項２に記載の記録方法において、請求項５に記載の記録方法の如く、前記一時的な中間領域を示す情報をそれぞれ記録する工程に先立って、前記情報記録媒体における最も外周側に位置する既記録部に隣接する外周側の未記録部の大きさが、前記一時的な中間領域を示す情報の大きさ以上であるか否かを判断する工程を更に含み、前記最も外周側に位置する既記録部に隣接する外周側の未記録部の大きさ大きさが、前記一時的な中間領域を示す情報の大きさ以上の場合に、前記一時的な中間領域を示す情報をそれぞれ記録する工程を実行することとすることができる。
【００１８】
上記請求項１〜５に記載の各記録方法において、請求項６に記載の記録方法の如く、前記情報記録媒体に、一時的な終端情報を記録する工程を、更に含むこととすることができる。
【００１９】
上記請求項１〜６に記載の各記録方法において、請求項７に記載の記録方法の如く、前記情報記録媒体に、前記一時的な中間領域を示す情報が記録された位置情報を記録する工程を、更に含むこととすることができる。
【００２０】
請求項８に記載の発明は、中間領域と書き換え可能なデータ領域とがそれぞれ設けられている複数の記録層を有するディスク状の情報記録媒体に対する情報の記録が可能な情報記録装置に用いられるプログラムであって、前記情報記録媒体の各データ領域における既記録部及び未記録部の少なくとも一方に関する情報に基づいて、前記各データ領域内の同一半径位置の領域に一時的な中間領域を示す情報をそれぞれ記録する手順を、前記情報記録装置の制御用コンピュータに実行させるプログラムである。
【００２１】
これによれば、本発明のプログラムが所定のメモリにロードされ、その先頭アドレスがプログラムカウンタにセットされると、情報記録装置の制御用コンピュータは、情報記録媒体の各データ領域における既記録部及び未記録部の少なくとも一方に関する情報に基づいて、各データ領域内の同一半径位置の領域に一時的な中間領域を示す情報をそれぞれ記録する。すなわち、本発明のプログラムによれば、情報記録装置の制御用コンピュータに請求項１に記載の発明に係る記録方法を実行させることができ、これにより、書き換え可能な複数の記録層を有する情報記録媒体に、短時間で再生専用の情報記録媒体との互換性を付与することが可能となる。
【００２２】
請求項９に記載の発明は、請求項８に記載のプログラムが記録されたコンピュータ読み取り可能な記録媒体である。
【００２３】
これによれば、請求項８に記載のプログラムが記録されているために、コンピュータに実行させることにより、書き換え可能な複数の記録層を有する情報記録媒体に、短時間で再生専用の情報記録媒体との互換性を付与することが可能となる。
【００２４】
請求項１０に記載の発明は、中間領域と書き換え可能なデータ領域とがそれぞれ設けられている複数の記録層を有するディスク状の情報記録媒体に対する情報の記録が可能な情報記録装置であって、前記情報記録媒体への情報の書き込みを行う処理装置と；前記情報記録媒体に対するユーザデータの記録を一時的に完了する際に、前記情報記録媒体の各データ領域における既記録部及び未記録部の少なくとも一方に関する情報に基づいて、前記各データ領域内の同一半径位置の領域に一時的な中間領域を示す情報を、前記処理装置を介してそれぞれ記録する制御装置と；を備える情報記録装置である。
【００２５】
これによれば、情報記録媒体に対するユーザデータの記録を一時的に完了する際に、制御装置により、情報記録媒体の各データ領域における既記録部及び未記録部の少なくとも一方に関する情報に基づいて、各データ領域内の同一半径位置の領域に一時的な中間領域を示す情報が、処理装置を介してそれぞれ記録される。この場合には、各データ領域に存在する全ての未記録部にダミーデータを書き込むという処理を行うことなく、再生専用の情報記録媒体との互換性を付与することができる。従って、書き換え可能な複数の記録層を有する情報記録媒体に、短時間で再生専用の情報記録媒体との互換性を付与することが可能となる。
【００２６】
この場合において、請求項１１に記載の情報記録装置の如く、前記制御装置は、前記情報記録媒体における最も外周側に位置する既記録部の外周側に隣接する領域と同一半径位置の領域に前記一時的な中間領域を示す情報を、前記処理装置を介してそれぞれ記録することとすることができる。
【００２７】
この場合において、請求項１２に記載の情報記録装置の如く、前記制御装置は、更に、前記一時的な中間領域を示す情報を記録するのに先立って、前記情報記録媒体における最も外周側に位置する既記録部の半径位置よりも内周側の各データ領域に未記録部が存在する場合に、該未記録部に前記処理装置を介してダミーデータを記録することとすることができる。
【００２８】
上記請求項１１に記載の情報記録装置において、請求項１３に記載の情報記録装置の如く、前記制御装置は、更に、前記一時的な中間領域を示す情報を記録するのに先立って、前記情報記録媒体における最も外周側に位置する既記録部の半径位置が、予め設定されている半径位置よりも内周側にある場合に、各データ領域において、最も内周側の半径位置から前記予め設定されている半径位置までに存在する未記録部に、前記処理装置を介してダミーデータを記録することとすることができる。
【００２９】
上記請求項１１に記載の情報記録装置において、請求項１４に記載の情報記録装置の如く、前記制御装置は、前記情報記録媒体における最も外周側に位置する既記録部に隣接する外周側の未記録部の大きさが、前記一時的な中間領域を示す情報の大きさ以上の場合に、前記一時的な中間領域を示す情報をそれぞれ記録することとすることができる。
【００３０】
上記請求項１０〜１４に記載の各情報記録装置において、請求項１５に記載の情報記録装置の如く、前記制御装置は、更に、一時的な終端情報を、前記処理装置を介して前記情報記録媒体に記録することとすることができる。
【００３１】
上記請求項１０〜１５に記載の各情報記録装置において、請求項１６に記載の情報記録装置の如く、前記制御装置は、更に、前記一時的な中間領域を示す情報が記録された位置情報を、前記処理装置を介して前記情報記録媒体に記録することとすることができる。
【００３２】
上記請求項１０〜１６に記載の各情報記録装置において、請求項１７に記載の情報記録装置の如く、前記制御装置は、更に、前記一時的な中間領域を示す情報がすでに記録されている情報記録媒体にユーザデータを記録する際に、該ユーザデータを前記一時的な中間領域を示す情報が記録されている領域に上書きすることとすることができる。
【発明を実施するための最良の形態】
【００３３】
以下、本発明の一実施形態を図１〜図１６（Ｂ）に基づいて説明する。図１には、本発明の一実施形態に係る情報記録装置としての光ディスク装置２０の概略構成が示されている。
【００３４】
この図１に示される光ディスク装置２０は、光ディスク１５を回転駆動するためのモータとしてのスピンドルモータ２２、光ピックアップ装置２３、該光ピックアップ装置２３をスレッジ方向に駆動するためのシークモータ２１、レーザ制御回路２４、エンコーダ２５、駆動制御回路２６、再生信号処理回路２８、バッファＲＡＭ３４、バッファマネージャ３７、インターフェース３８、フラッシュメモリ３９、ＣＰＵ４０及びＲＡＭ４１などを備えている。なお、図１における矢印は、代表的な信号や情報の流れを示すものであり、各ブロックの接続関係の全てを表すものではない。また、光ディスク装置２０は、複数の記録層を有する光ディスク（以下、便宜上「多層ディスク」ともいう）に対応しているものとする。そして、光ディスク１５は記録されている情報の書き換えが可能な複数の記録層を有する情報記録媒体であるものとする。
【００３５】
前記光ピックアップ装置２３は、光ディスク１５におけるアクセス対象の記録層（以下「対象記録層」ともいう）にレーザ光を集光するとともに、その記録層からの反射光を受光するための装置である。この光ピックアップ装置２３は、光ディスク１５に対応した波長のレーザ光を出射する半導体レーザ、該半導体レーザから出射された光束を光ディスク１５の対象記録層に集光する対物レンズ、前記対象記録層で反射された戻り光束を受光する受光器、及び前記対物レンズを駆動するための駆動系（フォーカシングアクチュエータ及びトラッキングアクチュエータ）（いずれも図示省略）などを含んで構成されている。前記受光器は複数の受光素子（又は受光領域）を有し、各受光素子（又は受光領域）での受光量に応じた信号（光電変換信号）を再生信号処理回路２８に出力する。
【００３６】
前記再生信号処理回路２８は、前記受光器の出力信号（複数の光電変換信号）に基づいて、従来と同様にして、サーボ信号（フォーカスエラー信号やトラックエラー信号など）、アドレス情報、同期信号、及びＲＦ信号などを取得する。ここで得られたサーボ信号は前記駆動制御回路２６及びＣＰＵ４０に出力され、アドレス情報及びＲＦ信号はＣＰＵ４０に出力され、同期信号はエンコーダ２５や駆動制御回路２６などに出力される。また、再生信号処理回路２８は、ＲＦ信号に対して復号処理及び誤り検出処理などを行い、誤りが検出されたときには誤り訂正処理を行った後、再生データとして前記バッファマネージャ３７を介して前記バッファＲＡＭ３４に格納する。
【００３７】
前記駆動制御回路２６は、再生信号処理回路２８からのトラックエラー信号に基づいて、トラッキング方向に関する対物レンズの位置ずれを補正するための前記トラッキングアクチュエータの駆動信号を生成する。また、駆動制御回路２６は、再生信号処理回路２８からのフォーカスエラー信号に基づいて、対物レンズのフォーカスずれを補正するための前記フォーカシングアクチュエータの駆動信号を生成する。ここで生成された各アクチュエータの駆動信号は光ピックアップ装置２３に出力される。これにより、トラッキング制御及びフォーカス制御が行われる。さらに、駆動制御回路２６は、ＣＰＵ４０の指示に基づいて、シークモータ２１を駆動するための駆動信号、及びスピンドルモータ２２を駆動するための駆動信号を生成する。各モータの駆動信号は、それぞれシークモータ２１及びスピンドルモータ２２に出力される。
【００３８】
前記バッファＲＡＭ３４には、光ディスク１５に記録するデータ（記録用データ）、及び光ディスク１５から再生したデータ（再生データ）などが一時的に格納される。このバッファＲＡＭ３４へのデータの入出力は、前記バッファマネージャ３７によって管理されている。
【００３９】
前記エンコーダ２５は、ＣＰＵ４０の指示に基づいて、バッファＲＡＭ３４に蓄積されている記録用データをバッファマネージャ３７を介して取り出し、データの変調及びエラー訂正コードの付加などを行ない、光ディスク１５への書き込み信号を生成する。ここで生成された書き込み信号はレーザ制御回路２４に出力される。
【００４０】
前記レーザ制御回路２４は、前記半導体レーザの発光パワーを制御する。例えば記録の際には、前記書き込み信号、記録条件及び半導体レーザの発光特性などに基づいて、半導体レーザの駆動信号がレーザ制御回路２４にて生成される。
【００４１】
前記インターフェース３８は、上位装置（例えば、パソコン）９０との双方向の通信インターフェースであり、ＡＴＡＰＩ（AT Attachment Packet Interface）に準拠している。
【００４２】
前記フラッシュメモリ３９には、ＣＰＵ４０にて解読可能なコードで記述された本発明に係るプログラムを含む各種プログラム、記録パワーや記録ストラテジ情報を含む記録条件、及び半導体レーザの発光特性などが格納されている。
【００４３】
前記ＣＰＵ４０は、フラッシュメモリ３９に格納されている上記プログラムに従って光ディスク装置２０の全体を制御するとともに、制御に必要なデータなどをＲＡＭ４１及びバッファＲＡＭ３４に保存する。
【００４４】
ここで、前記光ディスク１５について説明する。
【００４５】
光ディスク１５は、一例として図２に示されるように、光束の入射側から順に、保護層Ｐ１、記録層Ｌ１（第１の記録層）、保護層Ｐ２、記録層Ｌ２（第２の記録層）、保護層Ｐ３、光反射層ＲＬ及び印刷保護層Ｐ４などから構成されている。また、記録層Ｌ１と保護層Ｐ２との間には金や誘電体などで形成された半透明膜がある。すなわち、光ディスク１５は、いわゆる片面２層ディスクである。なお、各記録層にはスパイラル状又は同心円状の案内用の溝を有するトラックがそれぞれ形成されている。そして、記録層Ｌ１が記録層Ｌ２よりも光ピックアップ装置２３に近くなるように、光ディスク１５は、光ディスク装置２０にセットされる。そこで、光ディスク１５に入射した光束の一部は半透明膜で反射され、残りは半透明膜を透過する。そして、半透明膜を透過した光束は光反射層ＲＬで反射される。以下では、便宜上、半透明膜で反射された光束を「記録層Ｌ１からの反射光」あるいは「記録層Ｌ１での反射光」といい、光反射層ＲＬで反射された光束を「記録層Ｌ２からの反射光」あるいは「記録層Ｌ２での反射光」という。なお、光ディスク１５は、一例としてＤＶＤ＋ＲＷの規格に準拠した情報記録媒体における記録層を２層化したものである。
【００４６】
ところで、片面２層ディスクには、トラックパス（再生走査経路）に関して、オポジットトラックパス（Opposite track path、以下「ＯＴＰ」という）方式と、パラレルトラックパス（Parallel track path、以下「ＰＴＰ」という）方式との２種類がある。
【００４７】
ＯＴＰ方式の片面２層ディスクでは、一例として図３に示されるように、記録層Ｌ１に、ディスクの内周から外周に向かって、リードイン領域、データ領域、中間領域が設けられ、記録層Ｌ２に、ディスクの外周から内周に向かって、中間領域、データ領域、リードアウト領域が設けられている。そして、記録層Ｌ１では、リードイン領域から中間領域へ向かって連続して増加する物理アドレスが割り振られ、記録層Ｌ２では、中間領域からリードアウト領域へ向かって、記録層Ｌ１の物理アドレスをビット反転したアドレスが割り振られている。すなわち、記録層Ｌ２では、中間領域からリードアウト領域に向かって物理アドレスが連続して増加している。この場合のトラックパスの方向は、記録層Ｌ１ではリードイン領域から中間領域に向かう方向であり、記録層Ｌ２では中間領域からリードアウト領域に向かう方向である。
【００４８】
また、ＯＴＰ方式の片面２層ディスクでは、リードイン領域の開始位置とリードアウト領域の終了位置、記録層Ｌ１のデータ領域の終了位置と記録層Ｌ２のデータ領域の開始位置、及び各記録層の中間領域の開始位置及び終了位置は、それぞれ互いに同一半径位置にある。一方、記録層Ｌ２のデータ領域の終了位置は記録層Ｌ１のデータ領域の開始位置と必ずしも一致しない。この場合には、その差分領域にリードアウトが記録される。なお、半径位置とはディスクの半径方向に関する位置であり、ディスクの回転中心を基準としている。
【００４９】
一方、ＰＴＰ方式の片面２層ディスクでは、一例として図４に示されるように、各記録層に、ディスクの内周側から外周側に向かって、リードイン領域、データ領域及びリードアウト領域に分割されたインフォメーション領域がそれぞれ設けられている。すなわち、ＰＴＰ方式の片面２層ディスクでは、記録層毎にインフォメーション領域を個別に有し、各記録層は互いに独立した記録層と捉えることができる。そして、各記録層では、リードイン領域からリードアウト領域へ向かって、連続して増加する物理アドレスがそれぞれ割り振られている。この場合のトラックパスの方向は、各記録層ともにリードイン領域からリードアウト領域に向かう方向である。
【００５０】
また、ＰＴＰ方式の片面２層ディスクでは、各記録層におけるリードイン領域の開始位置と終了位置、各記録層におけるデータ領域の開始位置、及び各記録層におけるリードアウト領域の終了位置は、それぞれ互いに同一半径位置にある。一方、各記録層におけるデータ領域の終了位置は、記録層毎に互いに異なる場合がある。この場合には、その差分領域にリードアウトが記録される。
【００５１】
本実施形態では、一例として、光ディスク１５は、ＯＴＰ方式の片面２層ディスクであるものとする。
【００５２】
《フォーマット処理》
次に、光ディスク装置２０におけるフォーマット処理について図５〜図６（Ｃ）を用いて簡単に説明する。図５のフローチャートは、ＣＰＵ４０によって実行される一連の処理アルゴリズムに対応している。上位装置９０からフォーマット要求コマンドを受信すると、フラッシュメモリ３９に格納されている図５のフローチャートに対応するプログラムの先頭アドレスがＣＰＵ４０のプログラムカウンタにセットされ、フォーマット処理がスタートする。なお、本実施形態では、一例として、フォーマットはいわゆるバックグランドフォーマットで行われるものとする。
【００５３】
ここでは、光ディスク１５は、図６（Ａ）に示されるように、ブランクディスクであるものとする。なお、記録面に強いレーザ光が照射され、記録内容が全て消去されたディスクもブランクディスクである。
【００５４】
最初のステップ５０１では、図６（Ｂ）に示されるように、光ディスク１５のリードイン領域の一部に所定の情報を記録する。
【００５５】
次のステップ５０３では、アクセス許可を上位装置９０に通知する。これにより、フォーマットが未完了であっても記録及び再生が可能となる。
【００５６】
次のステップ５０５では、フォーマットを開始する。これにより、図６（Ｃ）に示されるように、エンコーダ２５、レーザ制御回路２４及び光ピックアップ装置２３などによって、所定のデータが記録層Ｌ１の先頭位置から記録層Ｌ１の終了位置に向けて順次書き込まれる。ここでは、１ＥＣＣブロック単位でダミーデータが記録される。
【００５７】
次のステップ５１５では、所定のタイミングでフォーマットが完了したか否かを判断する。フォーマットが完了していれば、ここでの判断は肯定され、フォーマット処理を終了する。一方、フォーマットが完了していなければ、ここでの判断は否定され、フォーマットが完了するまで待機する。なお、フォーマットが完了する前に記録要求あるいは再生要求があると、フォーマットを中断する。そして、記録処理あるいは再生処理が終了すると、フォーマットを再開する。
【００５８】
《記録処理》
次に、記録処理について図７〜図８（Ｃ）を用いて説明する。図７のフローチャートは、ＣＰＵ４０によって実行される一連の処理アルゴリズムに対応している。上位装置９０から記録要求コマンドを受信すると、フラッシュメモリ３９に格納されている図７のフローチャートに対応するプログラムの先頭アドレスがＣＰＵ４０のプログラムカウンタにセットされ、記録処理がスタートする。ここでは、図８（Ａ）に示されるように、光ディスク１５にはユーザデータが全く記録されていないものとする。また、一例として、いわゆる交互記録方式でユーザデータが記録されるものとする。
【００５９】
この交互記録方式とは、予め設定されている大きさに対応する部分領域（以下、便宜上「交互基準領域」ともいう。例えば１ＥＣＣブロック）毎に、ほぼ同一半径位置のある各記録層に順次記録する方式である。すなわち、１つの記録層に連続して記録可能な領域の大きさを予め規定し、ほぼ同一半径位置にある複数の記録層における前記規定された大きさに対応する領域毎に、順次記録する方式である。
【００６０】
最初のステップ６０１では、記録層Ｌ１のデータ領域の先頭に対応する目標位置に光ピックアップ装置が位置決めされるように駆動制御回路２６に指示する。すなわち、記録層Ｌ１が対象記録層である。光ピックアップ装置が目標位置に到達すると書き込みを許可する。これにより、エンコーダ２５及びレーザ制御回路２４などを介して、図８（Ｂ）に示されるように、記録層Ｌ１のデータ領域の先頭から外周側に向かってユーザデータが記録される。
【００６１】
次のステップ６０３では、所定のタイミング（例えば１ＥＣＣブロック分の記録が完了した時点）で、指定された全てのユーザデータの記録が完了したか否かを判断する。未記録のユーザデータが存在していれば、ここでの判断は否定され、ステップ６０５に移行する。
【００６２】
このステップ６０５では、前記交互基準領域分の書き込みが完了したか否かを判断する。交互基準領域分の書き込みが完了していなければ、ここでの判断は否定され、ユーザデータの書き込みを継続し、上記ステップ６０３に戻る。一方、交互基準領域分の書き込みが完了していれば、ここでの判断は肯定され、ステップ６０７に移行する。
【００６３】
このステップ６０７では、ユーザデータの書き込み中断をレーザ制御回路２４などに指示する。
【００６４】
次のステップ６０９では、レイヤジャンプを再生信号処理回路２８及び駆動制御回路２６に指示する。これにより、ここでは、記録層Ｌ２が対象記録層となる。
【００６５】
次のステップ６１１では、現在の対象記録層がＬ１であるか否かを判断する。ここでは、記録層Ｌ２が対象記録層であるため、ここでの判断は否定され、ステップ６１５に移行する。
【００６６】
このステップ６１５では、ユーザデータの書き込み再開を指示する。これにより、ここでは、図８（Ｃ）に示されるように、レイヤジャンプした位置から内周側に向かってユーザデータが記録される。そして、上記ステップ６０３に戻る。
【００６７】
なお、上記ステップ６１１において、現在の対象記録層がＬ１であれば、ここでの判断は否定され、ステップ６１３に移行する。
【００６８】
このステップ６１３では、次の交互基準領域の先頭位置に対応する目標位置に光ピックアップ装置が位置決めされるように駆動制御回路２６に指示する。そして、上記ステップ６１５に移行する。
【００６９】
以下、上記ステップ６０３での判断が肯定されるまで、ステップ６０３〜ステップ６１５の処理を繰り返し行う。そして、指定された全てのユーザデータの記録が完了すると、上記ステップ６０３での判断が肯定され、記録処理を終了する。
【００７０】
《クローズ処理》
次に、光ディスク１５に対するユーザデータの記録を一時的に完了するクローズ処理について図９〜図１３（Ｂ）を用いて説明する。図９のフローチャートは、ＣＰＵ４０によって実行される一連の処理アルゴリズムに対応している。上位装置９０からクローズ要求コマンドを受信すると、フラッシュメモリ３９に格納されている図９のフローチャートに対応するプログラムの先頭アドレスがＣＰＵ４０のプログラムカウンタにセットされ、クローズ処理がスタートする。
【００７１】
最初のステップ７０１では、光ディスク１５のデータ領域に未記録部があるか否かを判断する。未記録部があれば、ここでの判断は肯定され、ステップ７０３に移行する。
【００７２】
このステップ７０３では、データ領域に一時的な中間領域を示す情報（以下「ＴＭＡ」ともいう）を記録するように指示されているか否かを判断する。データ領域にＴＭＡを記録するように指示されていれば、ここでの判断は肯定され、ステップ７０５に移行する。
【００７３】
このステップ７０５では、データ領域にＴＭＡを記録可能な空き領域があるか否かを判断する。データ領域にＴＭＡを記録可能な空き領域があれば、ここでの判断は肯定され、ステップ７０７に移行する。
【００７４】
このステップ７０７では、中間領域の先頭の半径位置（ｒ1とする）を取得する。
【００７５】
次のステップ７０９では、最も外周側にある既記録部の半径位置（ｒ2とする）を取得する。
【００７６】
次のステップ７１１では、ｒ1−ｒ2が閾値（ｒsとする）を超えているか否かを判断する。一例として図１０（Ａ）に示されるように、ｒ1−ｒ2がｒsを超えていれば、ここでの判断は肯定され、ステップ７１３に移行する。
【００７７】
このステップ７１３では、一例として図１０（Ｂ）に示されるように、ｒ1−ｒ2がｒs以下となるように、最も外周側にある既記録部の外周側に隣接する未記録部にダミーデータを書き込む。また、他の記録層についても、同じ半径位置の未記録部にダミーデータを書き込む。なお、光ディスク１５への実際の書き込みは、前述したようにエンコーダ２５及びレーザ制御回路２４などを介して行われる。
【００７８】
次のステップ７１５では、各記録層において、既記録部がデータ領域の最も内周側の位置から連続しているか否かを判断する。既記録部が連続していれば、ここでの判断は肯定され、ステップ７１９に移行する。
【００７９】
このステップ７１９では、一例として図１０（Ｃ）に示されるように、各記録層のデータ領域にＴＭＡを記録する。ここでは、データ属性が中間領域データに設定されているダミーデータがＴＭＡとして記録される。
【００８０】
次のステップ７２１では、ＴＭＡの位置情報を光ディスク１５の予め設定されている領域（例えばリードイン領域）に記録する。
【００８１】
次のステップ７２３では、一時的な終端情報として必要最小限の終端情報を光ディスク１５のリードアウト領域に記録する。ここでは、例えば、ディスクステータス情報（ブランク状態、オープン状態、クローズ状態、及びコンプリート状態のいずれかが含まれる）、データゾーンエンドアドレス情報（＝ＬＷＡ）、リードアウト領域のエンドアドレス情報などが記録される。なお、ＴＭＡと合わせてＴＬＯが記録される場合には、ＴＬＯ領域に関する情報も記録される。
【００８２】
次のステップ７３５では、クローズ処理の完了を上位装置９０に通知する。そして、クローズ処理を終了する。これにより、光ディスク１５は、ＤＶＤ−ＲＯＭとの互換性を有することとなる。
【００８３】
なお、上記ステップ７１５において、一例として図１１（Ａ）に示されるように、既記録部が連続していなければ、ここでの判断は否定され、ステップ７１７に移行する。
【００８４】
このステップ７１７では、一例として図１１（Ｂ）に示されるように、既記録部が連続するように、ダミーデータを未記録部に書き込む。そして、上記ステップ７１９に移行する。この場合には、ステップ７１９では、一例として図１１（Ｃ）に示されるように、ＴＭＡが記録される。
【００８５】
また、上記ステップ７１１において、ｒ1−ｒ2がｒsを超えていなければ、ここでの判断は否定され、上記ステップ７１５に移行する。すなわち、ステップ７１３の処理をスキップする。
【００８６】
また、上記ステップ７０５において、一例として図１２（Ａ）に示されるように、データ領域にＴＭＡを記録可能な空き領域がなければ、ここでの判断は否定され、ステップ７２５に移行する。
【００８７】
このステップ７２５では、一例として図１２（Ｂ）に示されるように、データ領域の未記録部にダミーデータを書き込む。
【００８８】
そして、次のステップ７２７では、一例として図１２（Ｃ）に示されるように、各記録層の中間領域に所定の情報を記録する。そして、上記ステップ７３５に移行する。
【００８９】
また、上記ステップ７０３において、データ領域にＴＭＡを記録するように指示されていなければ、ここでの判断は否定され、ステップ７２９に移行する。
【００９０】
このステップ７２９では、２層目（ここでは、記録層Ｌ２）が全て未記録状態であるか否かを判断する。全てが未記録状態でなければ、ここでの判断は否定され、上記ステップ７０５に移行する。一方、一例として図１３（Ａ）に示されるように、全てが未記録状態であれば、ここでの判断は肯定され、ステップ７３１に移行する。
【００９１】
このステップ７３１では、一例として図１３（Ｂ）に示されるように、既記録部に続いて一時的なリードアウト（ＴＬＯ）を記録する。そして、上記ステップ７３５に移行する。
【００９２】
さらに、上記ステップ７０１において、未記録部がなければ、ここでの判断は否定され、ステップ７３３に移行する。
【００９３】
このステップ７３３では、リードアウト領域に所定の情報（ＬＯ）を記録する。そして、上記ステップ７３５に移行する。
【００９４】
《再記録処理》
次に、前述したようにして、一旦クローズ処理が行われた光ディスク１５が、再度光ディスク装置２０にセットされ、再度ユーザデータを記録するときの処理について図１４〜図１６（Ｂ）を用いて説明する。図１４のフローチャートは、ＣＰＵ４０によって実行される一連の処理アルゴリズムに対応している。上位装置９０から記録要求コマンドを受信すると、フラッシュメモリ３９に格納されている図１４のフローチャートに対応するプログラムの先頭アドレスがＣＰＵ４０のプログラムカウンタにセットされ、再記録処理がスタートする。
【００９５】
最初のステップ８０１では、データ領域に記録されているデータの属性を参照し、ＴＭＡが記録されているか否かを判断する。一例として図１５（Ａ）に示されるように、ＴＭＡが記録されていれば、ここでの判断は肯定され、ステップ８０３に移行する。
【００９６】
このステップ８０３では、一例として図１５（Ｂ）に示されるように、各記録層に記録されているＴＭＡにユーザデータを上書きする。
【００９７】
次のステップ８０７では、指定された全てのユーザデータの記録が完了したか否かを判断する。未記録のユーザデータが存在していれば、ここでの判断は否定され、ステップ８０９に移行する。
【００９８】
このステップ８０９では、前述したように交互記録方式でユーザデータを各記録層に記録する。そして、所定のタイミング（例えば１ＥＣＣブロック分の記録が完了した時点）で上記ステップ８０７に戻る。
【００９９】
なお、上記ステップ８０１において、一例として図１６（Ａ）に示されるように、ＴＭＡが記録されていなければ、ここでの判断は否定され、ステップ８０５に移行する。
【０１００】
このステップ８０５では、一例として図１６（Ｂ）に示されるように、記録層Ｌ１に記録されているＴＬＯにユーザデータを上書きする。そして、上記ステップ８０７に移行する。
【０１０１】
以上の説明から明らかなように、本実施形態に係る光ディスク装置２０では、光ピックアップ装置２３とレーザ制御回路２４とエンコーダ２５と再生信号処理回路２８とによって処理装置が構成されている。
【０１０２】
さらに、ＣＰＵ４０及び該ＣＰＵ４０にて実行されるプログラムとによって制御装置が実現されている。なお、ＣＰＵ４０によるプログラムに従う処理によって実現した制御装置の少なくとも一部をハードウェアによって構成することとしても良いし、あるいは全てをハードウェアによって構成することとしても良い。
【０１０３】
また、本実施形態では、記録媒体としてのフラッシュメモリ３９に記録されているプログラムのうち、図９に対応するプログラムを実行することによって、本発明に係るプログラムが実行されている。
【０１０４】
そして、上記クローズ処理にて、本発明に係る記録方法が実施されている。
【０１０５】
以上説明したように、本実施形態に係る光ディスク装置２０によると、上位装置９０から、中間領域と書き換え可能なデータ領域とがそれぞれ設けられている２つの記録層を有する光ディスク１５に対して、クローズ要求コマンドを受信すると、各データ領域内であって、光ディスク１５において最も外周側に位置する既記録部の外周側に隣接する領域と同一半径位置の領域にＴＭＡをそれぞれ記録している。これにより、各データ領域に存在する全ての未記録部にダミーデータを書き込むという処理を行うことなく、再生専用の情報記録媒体であるＤＶＤ−ＲＯＭとの互換性を付与することができる。従って、書き換え可能な複数の記録層を有する情報記録媒体に、短時間で再生専用の情報記録媒体との互換性を付与することが可能となる。
【０１０６】
また、本実施形態によると、ＴＭＡをそれぞれ記録するのに先立って、光ディスク１５において最も外周側に位置する既記録部の半径位置よりも内周側の各データ領域に未記録部が存在するか否かを判断し、その判断の結果、未記録部が存在する場合に、該未記録部にダミーデータを記録している。これにより、ランダムにユーザデータが記録されていても、ＤＶＤ−ＲＯＭとの互換性を付与することができる。
【０１０７】
また、本実施形態によると、ＴＭＡをそれぞれ記録するのに先立って、光ディスク１５において最も外周側に位置する既記録部の半径位置が、予め設定されている半径位置よりも内周側にあるか否かを判断し、その判断の結果、最も外周側に位置する既記録部の半径位置が予め設定されている半径位置よりも内周側にある場合に、各データ領域において、最も内周側の半径位置から予め設定されている半径位置までに存在する未記録部にダミーデータを記録している。これにより、未記録部の大きさに対して既記録部の大きさが小さいと正常な再生が保証されないような再生専用ドライブ装置であっても、安定した再生が可能となる。また、現在まだ市販されてはいないが直径３０ｍｍの光ディスクとの互換性も可能である。
【０１０８】
また、本実施形態によると、光ディスク１５に、一時的な終端情報を記録している。これにより、クローズ処理された光ディスク１５が、再度光ディスク装置２０にセットされたときに、既記録部に関する情報を迅速に取得することが可能となる。なお、記録される終端領域を一時的な終端情報とするか通常の終端情報とするかを、ユーザが選択できるようにしても良い。
【０１０９】
また、本実施形態によると、光ディスク１５に、ＴＭＡが記録された位置情報を記録している。これにより、クローズ処理された光ディスク１５が、再度光ディスク装置２０にセットされたときに、ＴＭＡが記録されていることを直ちに知ることができる。また、ユーザデータの記録を再開した場合に、ユーザデータを上書きする位置を迅速に取得することができる。また、クローズ処理された光ディスク１５が他の情報記録装置にセットされたときに、光ディスク１５の状態（利用されている領域など）を容易に知ることができ、例えばフォーマット再開を直ちに実行することが可能となる。すなわち、素早いレスポンスが可能となる。
【０１１０】
また、本実施形態によると、光ディスク１５において最も外周側に位置する既記録部に隣接する外周側の未記録部の大きさが、ＴＭＡの大きさ未満の場合に、該未記録部にダミーデータを書き込んだ後、各中間領域に所定の情報をそれぞれ記録している。これにより、クローズ処理では、該未記録部にＴＭＡを記録する場合よりも若干処理時間が増加するが、クローズ処理後に、ユーザデータの記録を再開した場合に、中間領域に所定の情報を記録する必要がなくなり、トータルとしての処理時間を短縮することができる。
【０１１１】
なお、上記実施形態では、光ディスク１５として、ＤＶＤ＋ＲＷの規格に準拠した情報記録媒体における記録層を２層化したものである場合について説明したが、本発明がこれに限定されるものではない。要するに、中間領域と書き換え可能なデータ領域とがそれぞれ設けられている複数の記録層を有するディスク状の情報記録媒体であれば良い。
【０１１２】
また、上記実施形態では、光ディスク１５が２つの記録層を有する場合について説明したが、これに限らず、３層以上の記録層を有していても良い。
【０１１３】
また、上記実施形態では、クローズ処理において、ＴＭＡを記録した後に、ＴＭＡの位置情報及び一時的な終端情報を記録しているが、これらを記録する順番は、任意に設定することができる。
【０１１４】
また、上記実施形態では、本発明に係るプログラムは、フラッシュメモリ３９に記録されているが、他の記録媒体（ＣＤ、光磁気ディスク、ＤＶＤ、メモリカード、ＵＳＢメモリ、フレキシブルディスク等）に記録されていても良い。この場合には、各記録媒体に対応する再生装置（又は専用インターフェース）を介して本発明に係るプログラムをフラッシュメモリ３９にロードすることとなる。また、ネットワーク（ＬＡＮ、イントラネット、インターネットなど）を介して本発明に係るプログラムをフラッシュメモリ３９に転送しても良い。要するに、本発明に係るプログラムがフラッシュメモリ３９にロードされれば良い。
【０１１５】
また、上記実施形態では、光ピックアップ装置が１つの半導体レーザを備える場合について説明したが、これに限らず、例えば互いに異なる波長の光束を発光する複数の半導体レーザを備えていても良い。この場合に、例えば波長が約４０５ｎｍの光束を発光する半導体レーザ、波長が約６６０ｎｍの光束を発光する半導体レーザ及び波長が約７８０ｎｍの光束を発光する半導体レーザの少なくとも１つを含んでいても良い。すなわち、光ディスク装置が互いに異なる規格に準拠した複数種類の光ディスクに対応する光ディスク装置であっても良い。この場合に、少なくともいずれかの光ディスクが、中間領域と書き換え可能なデータ領域とがそれぞれ設けられている複数の記録層を有する光ディスクであっても良い。
【０１１６】
また、上記実施形態では、情報の記録及び再生が可能な光ディスク装置について説明したが、これに限らず、情報の記録、消去及び再生のうち少なくとも記録が可能な光ディスク装置であれば良い。
【０１１７】
また、上記実施形態では、各インターフェースがＡＴＡＰＩの規格に準拠する場合について説明したが、これに限らず、例えばＡＴＡ（AT Attachment）、ＳＣＳＩ（Small Computer System Interface）、ＵＳＢ（Universal Serial Bus）１．０、ＵＳＢ２．０、ＩＥＥＥ１２８４、ＩＥＥＥ１３９４、ＩＥＥＥ８０２．３、シリアルＡＴＡ及びシリアルＡＴＡＰＩのうちのいずれかの規格に準拠しても良い。
【０１１８】
また、上記実施形態では、情報記録装置として光ディスク装置について説明したが、これに限らず、例えば光ディスク装置２０と同等の機能を備えたＤＶＤレコーダであっても良い。
【産業上の利用可能性】
【０１１９】
以上説明したように、本発明の記録方法によれば、既記録領域と未記録領域とが混在している、書き換え可能な複数の記録層を有する情報記録媒体に、短時間で再生専用の情報記録媒体との互換性を付与するのに適している。また、本発明の情報記録装置によれば、既記録領域と未記録領域とが混在している、書き換え可能な複数の記録層を有する情報記録媒体に、短時間で再生専用の情報記録媒体との互換性を付与するのに適している。また、本発明のプログラム及び記憶媒体によれば、情報記録装置に、既記録領域と未記録領域とが混在している、書き換え可能な複数の記録層を有する情報記録媒体に、短時間で再生専用の情報記録媒体との互換性を付与させるのに適している。
【図面の簡単な説明】
【０１２０】
【図１】本発明の一実施形態に係る情報記録装置としての光ディスク装置の構成を示すブロック図である。
【図２】図１における光ディスクを説明するための図である。
【図３】片面２層ディスクにおけるＯＴＰ方式を説明するための図である。
【図４】片面２層ディスクにおけるＰＴＰ方式を説明するための図である。
【図５】フォーマット処理を説明するためのフローチャートである。
【図６】図６（Ａ）〜図６（Ｃ）は、それぞれ図５のフォーマット処理を説明するための図である。
【図７】記録処理を説明するためのフローチャートである。
【図８】図８（Ａ）〜図８（Ｃ）は、それぞれ図７の記録処理を説明するための図である。
【図９】クローズ処理を説明するためのフローチャートである。
【図１０】図１０（Ａ）〜図１０（Ｃ）は、それぞれ図９のクローズ処理を説明するための図（その１）である。
【図１１】図１１（Ａ）〜図１１（Ｃ）は、それぞれ図９のクローズ処理を説明するための図（その２）である。
【図１２】図１２（Ａ）〜図１２（Ｃ）は、それぞれ図９のクローズ処理を説明するための図（その３）である。
【図１３】図１３（Ａ）及び図１３（Ｂ）は、それぞれ図９のクローズ処理を説明するための図（その４）である。
【図１４】一旦クローズ処理された光ディスクに対する再記録処理を説明するためのフローチャートである。
【図１５】図１５（Ａ）及び図１５（Ｂ）は、それぞれ図１４の再記録処理を説明するための図（その１）である。
【図１６】図１６（Ａ）及び図１６（Ｂ）は、それぞれ図１４の再記録処理を説明するための図（その２）である。
【符号の説明】
【０１２１】
１５…光ディスク（情報記録媒体）、２０…光ディスク装置（情報記録装置）、２３…光ピックアップ装置（処理装置の一部）、２４…レーザ制御回路（処理装置の一部）、２５…エンコーダ（処理装置の一部）、２８…再生信号処理回路（処理装置の一部）、３９…フラッシュメモリ（記録媒体）、４０…ＣＰＵ（制御装置）。
【図１】
2006313600.tif 000003
【図２】
2006313600.tif 000004
【図３】
2006313600.tif 000005
【図４】
2006313600.tif 000006
【図５】
2006313600.tif 000007
【図６】
2006313600.tif 000008
【図７】
2006313600.tif 000009
【図８】
2006313600.tif 000010
【図９】
2006313600.tif 000011
【図１０】
2006313600.tif 000012
【図１１】
2006313600.tif 000013
【図１２】
2006313600.tif 000014
【図１３】
2006313600.tif 000015
【図１４】
2006313600.tif 000016
【図１５】
2006313600.tif 000017
【図１６】
2006313600.tif 000018